(57)【特許請求の範囲】
【請求項１】
貯蔵庫本体の出入口には、断熱材が充填された扉が開閉可能に設けられた冷却貯蔵庫において、
前記扉にはこの扉を内外に貫通した貫通孔が設けられるとともに、この貫通孔の外面側には、差し込んだ鍵を介して軸部が正逆方向に回動操作される回転錠が取り付けられ、
前記貫通孔内には回動軸が挿通されて、この回動軸の外側の端部と前記回転錠の軸部とが、断熱性に優れた材質になる連結部材により一体回動可能に連結され、また前記回動軸の内側の端部には、この回動軸の回動に伴い前記出入口側に設けられた係止部に係止する閉位置と、その係止が解除される開位置とに変位可能な被係止部が設けられており、
かつ前記貫通孔は、前記回転錠の取付用の工具が内面側から挿入可能に形成される一方、この貫通孔の内側の端部を閉鎖する閉鎖板が着脱可能に設けられ、この閉鎖板には前記回動軸が挿通される軸受孔が開口されていることを特徴とする冷却貯蔵庫。
【発明の詳細な説明】
【０００１】
【発明の属する技術分野】
本発明は、扉を閉鎖状態に保持する手段を備えた冷却貯蔵庫に関する。
【０００２】
【従来の技術】
例えば、プレハブ型冷蔵庫のような大型の冷蔵庫では、出入口に設けられた扉を閉鎖状態に保持する手段を備えている場合があり、従来その一例として、図８に示すものが知られている。このものは、扉１の外面に回転錠２が設けられるとともに、扉１の上端面に上下方向に進退する被係止板３が設けられて、その下端が回転錠２の軸部から径方向に突設された操作板４と連結された構造となっている。そして、扉１を閉めたのち、回転錠２に鍵５を差し込んで閉位置に回動すると、操作板４が同図の反時計回り方向に回動することを介して被係止板３が鎖線に示すように上方に突出し、出入口に設けられた係止凹部（図示せず）内に進入して係止されることで閉扉状態に施錠され、一方、鍵５を開位置に回動すると、被係止板３が実線に示すように下方に後退することで係止凹部から抜けて係止が解除され、扉１が開放できるようになっている。
【０００３】
【発明が解決しようとする課題】
しかるに従来のものは、機構部の大部分が扉１に内蔵された構造であって、そのために扉１内に充填された断熱材を除去してそれらを収容する空間を確保する必要があり、この部分では断熱効果が著しく損なわれて、扉１の外面に結露が生じやすいという問題があった。
本発明は上記のような事情に基づいて完成されたものであって、その目的は、扉の保持手段を設けるに当たり結露が発生することを防止するところにある。
【０００４】
【課題を解決するための手段】
上記の目的を達成するための手段として、請求項１の発明は、貯蔵庫本体の出入口には、断熱材が充填された扉が開閉可能に設けられた冷却貯蔵庫において、前記扉にはこの扉を内外に貫通した貫通孔が設けられるとともに、この貫通孔の外面側には、差し込んだ鍵を介して軸部が正逆方向に回動操作される回転錠が取り付けられ、前記貫通孔内には回動軸が挿通されて、この回動軸の外側の端部と前記回転錠の軸部とが、断熱性に優れた材質になる連結部材により一体回動可能に連結され、また前記回動軸の内側の端部には、この回動軸の回動に伴い前記出入口側に設けられた係止部に係止する閉位置と、その係止が解除される開位置とに変位可能な被係止部が設けられており、かつ前記貫通孔は、前記回転錠の取付用の工具が内面側から挿入可能に形成される一方、この貫通孔の内側の端部を閉鎖する閉鎖板が着脱可能に設けられ、この閉鎖板には前記回動軸が挿通される軸受孔が開口されている構成としたところに特徴を有する。
ここで、断熱性に優れた材質とは、回動軸に通常用いられる金属に比べて断熱性に優れた材質であって、合成樹脂、セラミックスあるいはゴム等が挙げられる。
【０００６】
【発明の作用及び効果】
＜請求項１の発明＞
扉を閉めたのち回転錠により回動軸を一方向に回動すると、被係止部が閉位置に変位して係止部に係止されることで扉が閉鎖状態に保持され、回動軸を他方向に回動すると、被係止部が開位置に変位することで係止が解除されて扉が開かれる。
扉には略々回動軸が貫通されているだけであって、断熱材を除去する範囲も小さく留められるから、断熱効果が損なわれることなく扉の外面に結露することが防止される。また、回動軸と回転錠との間は、回動軸に比べて断熱性に優れた材質になる連結部材が介設されているから、庫内の冷熱が回転錠に伝達することが抑えられ、回転錠に結露することも防止される。
また貫通孔は、工具が内側から入れられるように形成されているから、回転錠の取り付けが容易となる。ただし、貫通孔が庫内側に開口されたままであると、貫通孔内に庫内の冷熱が侵入してその部分の扉の外面が冷却されることで結露するおそれがある。その点この発明では、貫通孔の内側の端部が閉鎖板で閉鎖可能であって、冷熱の侵入とそれに伴う冷却が抑えられ、扉の外面等で結露することが防止される。
【０００８】
【発明の実施の形態】
以下、本発明の実施形態を添付図面に基づいて説明する。
＜第１実施形態＞
本発明の第１実施形態を図１ないし図５によって説明する。この実施形態では、プレハブ冷蔵庫を例示している。
図１において、符号１０はプレハブ冷蔵庫の本体であって、複数枚の断熱パネルを組み付けることによって前面開口の箱形に形成されており、この前面開口が出入口１１となっている。
【０００９】
この出入口１１には、ステンレス鋼板製の内箱２１と外箱２５との間に断熱材Ｘの充填された左右一対の扉１２Ａ，１２Ｂが、いわゆる観音開き式に装着されている。詳細には、左扉１２Ａが出入口１１の左側縁に、右扉１２Ｂが出入口１１の右側縁にそれぞれヒンジを介して揺動可能に支持されている。左扉１２Ａの開放端には、ピラー１４が内方に引っ込んだ状態で装着され、左右の扉１２Ａ，１２Ｂが閉じられると、右扉１２Ｂの開放端がピラー１４に当たって閉鎖するようになっている。
両扉１２Ａ，１２Ｂの外面の開放端側には取手部１６が設けられているとともに、内面の周縁には、図３に示すようにマグネット１８を埋設したパッキン１７が装着され、閉扉された場合に、出入口１１の外側の口縁やピラー１４に密着されるようになっている。
【００１０】
さて、両扉１２Ａ，１２Ｂを閉鎖状態に保持する装置が備えられており、以下それについて説明する。
右扉１２Ｂの上縁部における開放端に寄った位置には、回動軸４０等が設けられている。これらの取付位置には、図２及び図３に示すように、扉１２Ｂの内外を貫通する貫通孔２０が形成されている。この貫通孔２０の内側の端部では、内箱２１の内側に補強板２２が張られ、それらに貫通孔２０と整合した孔２３が開けられているのに対して、貫通孔２０の外側の端部では、同様に外箱２５の内側に補強板２６が張られているものの、それらには横長の長円形の取付孔２７が形成されている。
【００１１】
貫通孔２０の外面側には、回転錠３０が取り付けられている。この回転錠３０は金属製であって、横長の長円形断面の本体部３１の外端側に、鍵の差し込み部となる頭部３２が設けられているとともに、他端側に回動操作される一回り小さい長円形断面の軸部３３が設けられた構造であって、頭部３２の鍵孔に図示しない鍵を差し込んで、正面から見た時計回り方向に９０度回動操作することによって、軸部３３が縦向きの姿勢を取り、その状態から鍵を反時計回り方向に９０度回動させることで、軸部３３が元の横向きの姿勢に戻るようになっている。
【００１２】
回転錠３０の本体部３１の外周には、雄ネジ３４が切られている。一方、上記した貫通孔２０は、ボックスレンチ（図示せず）が内面側から挿入可能な程度に大径に形成されている。そして回転錠３０は、本体部３１を取付孔２７に外面側から挿入するとともに、内面側から貫通孔２０内に入れたナット３５を本体部３１に螺合し、同じく内面側から貫通孔２０内に入れたボックスレンチで締め付けることによって、回転錠３０が一定の姿勢で回り止め状態で固定されるようになっている。
【００１３】
貫通孔２０の内面側には、回動軸４０が庫内側に向けて突出するようにして設けられている。この回動軸４０は金属製であって、基端側に鍔４１が形成され、その後ろに、上記した回転錠３０の軸部３３と同じ長円形断面の連結軸４２が突設されているとともに、先端側には、上下両面に平行二面４３が形成され、両面４３を貫通して取付孔４４が形成されている。この取付孔４４には、被係止棒５０が取付可能とされている。被係止棒５０には、フランジ５１と止め輪５２の取付溝５３が所定間隔を開けて形成されている。
【００１４】
また、上記した回転錠３０の軸部３３と、回動軸４０の連結軸４２との間を連結すべく連結部材３７が備えられている。この連結部材３７は断熱性に優れた合成樹脂製であって、全体としては円筒形に形成されているが、その中心孔３８は、回転錠３０の軸部３３と回動軸４０の連結軸４２とが嵌合可能な長円形断面に形成されている。
また、内箱２１の表面に当てられて貫通孔２０の内側の端部を閉鎖する閉鎖板５５が設けられ、この閉鎖板５５には、回動軸４０が挿通される軸受孔５６と、その両側にネジ５７の挿通孔５８が開口されている。
【００１５】
回動軸４０は以下のようにして組み付けられる。上記のように回転錠３０が取り付けられたのち、その軸部３３に連結部材３７の中心孔３８の一端が嵌合される。続いて回動軸４０の連結軸４２が、連結部材３７の中心孔３８の他端に嵌合される。次に閉鎖板５５が軸受孔５６に回動軸４０を通して内箱２１の表面に当てられ、挿通孔５８に通したネジ５７を内箱２１のネジ孔５９に螺合して締め付けることで閉鎖板５５が固定される。そして、回動軸４０における軸受孔５６から突出した部分の取付溝４５に止め輪４６が嵌着されることによって、回動軸４０は、軸線回りの回動可能に、かつ軸線方向の抜け止め状態に支持される。
【００１６】
また、回動軸４０の先端の取付孔４４には、被係止棒５０が下方から挿通され、フランジ５１を平行二面４３の下面に突き当てたのち、上面から突出した取付溝５３に止め輪５２を嵌着することによって、両端部をほぼ同じ寸法突出させた状態で固定される。
すなわち回動軸４０は、連結部材３７を介して回転錠３０の軸部３３と一体的に軸線回りに回動し、回転錠３０に鍵を差し込んで閉位置に回動操作すると、被係止棒５０が横向きに寝た姿勢を取り（図４）、元の開位置に戻すと、被係止棒５０が縦向きの姿勢を取る（図３）ようになっている。
【００１７】
一方、冷蔵庫本体１０の出入口１１側には、係止部材６０が取り付けられている。その取付位置は詳細には、図１に示すように、上記した回動軸４０、被係止棒５０等の取付位置と対応して、出入口１１の上側の周面における幅方向の中央部から少し右側に寄った位置である。
係止部材６０は、全体としてアングル状に形成され、水平面が取付板６１となっているとともに、垂下面では、下端開放の逃がし溝６２を挟んだ両側に一対の係止板６３を備えた形状である。上記の逃がし溝６２は、回動軸４０の先端部分から被係止棒５０の上方突出部を挿通可能な幅と高さとを有している。
【００１８】
係止部材６０の取付板６１には、左右一対のネジの挿通孔６４が形成されている。一方、出入口１１の上側の周面の取付位置では、図３に示すように、内箱２１の裏側に補強板６６が配され、内箱２１にはネジの挿通孔６７が、また補強板６６にはネジ孔６８が切られている。
係止部材６０は、図１に示すように、係止板６３を手前に向けた姿勢で出入口１１の取付面に当てられて、取付板６１と内箱２１の挿通孔６４，６７同士が整合され、両挿通孔６４，６７に摘み６９Ａ付きのネジ６９が挿通され、ネジ孔６８に螺合して締め付けることにより係止部材６０が固定されるようになっている。
係止部材６０が固定されると、右扉１２Ｂが閉じられた場合に、回動軸４０の先端と被係止棒５０の上方突出部が逃がし溝６２を通ってその裏側に進入し（図３参照）、回動軸４０の回動に伴って被係止棒５０が横に寝ると、その両突出部が左右の係止板６３に係止されるようになっている。
なお、摘み６９Ａ付きのネジ６９を緩めて外すと、被係止部材６０は出入口１１の取付面から取り外すことが可能となっている。
【００１９】
続いて、本実施形態の作用を説明する。
庫内での作業等が終了して閉扉する場合は、まず左扉１２Ａを閉じると、裏面のマグネット１８付きパッキン１７が出入口１１の左半分の口縁に磁気吸引力で密着して閉じられる。続いて右扉１２Ｂが閉じられ、このときは図１に示すように、回動軸４０の先端の被係止棒５０が縦向きの姿勢にあるから、回動軸４０の先端から被係止棒５０の上方突出部が、図３に示すように、係止部材６０の逃がし溝６２を通って係止板６３の裏側に進入し、それとともに、裏面のマグネット１８付きパッキン１７が出入口１１の右半分の口縁とピラー１４とに磁気吸引力で密着して閉じられる。これだけでも、上記した磁気吸引力で両扉１２Ａ，１２Ｂは閉鎖状態に保持される。
【００２０】
さらに施錠する場合は、図３の状態から回転錠３０に鍵を差し込んで、閉位置に向けて正面から見た時計回り方向に９０度回動させると、連結部材３７を介して回動軸４０が同方向に同角度回動し、図４に示すように、被係止棒５０が横向きの姿勢となって、両突出部が左右の係止板６３に係止される。これにより、右扉１２Ｂが閉鎖状態にロックされ、また左扉１２Ａは、一体に設けられたピラー１４が右扉１２Ｂで押さえ付けられることによって同じく閉鎖状態にロックされる。
解錠する場合は、再度鍵を差し込んで元の開位置に向けて反対方向に９０度回動させると、回動軸４０が同方向に同角度回動して、被係止棒５０が図３のように縦向きに起こされる。したがって右扉１２Ｂを手前に引くと、被係止棒５０が逃がし溝６２を通って手前に抜けつつ開扉され、それに伴いピラー１４に対する押さえも無くなるから、引き続いて左扉１２Ａも開けることができる。
【００２１】
なお、庫内に入って作業等をしている間に、他人が誤って閉扉して施錠してしまう、すなわち庫内に閉じ込められてしまう場合があり得る。その場合は、図５に示すように、係止部材６０を取り付けている摘み６９Ａ付きのネジ６９を緩めて外し、逃がし溝６２に回動軸４０を通しつつ係止部材６０を庫内側に向けて外す。そうすると、施錠されているにも拘わらず、被係止棒５０に対する係止が解除されるから、引き続いて右扉１２Ｂを庫外に向けて押すことで開扉することができる。
また、回転錠３０を交換する場合は、ネジ５７を緩めて閉鎖板５５並びに回動軸４０を外し、さらに連結部材３７を庫内側に引き抜くと、貫通孔２０が内面側に開放される。そこで、貫通孔２０にボックスレンチを挿入してナット３５を緩めることにより、回転錠３０を外すことができる。
【００２２】
以上説明したように本実施形態によれば、扉１２Ｂに対して閉鎖状態に保持する機構を設けるに当たり、扉１２Ｂには回動軸４０等が貫通されているだけであるから、断熱材Ｘを除去する範囲も小さく留められ、断熱効果が損なわれることなく扉１２Ｂの外面に結露することが防止される。
ただ、回転錠３０の交換の際の便宜を図るために、ナット３５の操作用のボックスレンチが挿入できる程度まで貫通孔２０が拡径されているため、仮に貫通孔２０がそのまま内面側に開放されていると、貫通孔２０内に庫内の冷熱が侵入してその部分の扉１２Ｂの外面や回転錠３０が冷却され、それに起因してこれらに結露するおそれがある。その点この実施形態では、貫通孔２０の内面側が閉鎖板５５で閉鎖されているから、冷熱の侵入とそれに伴う冷却が抑えられ、扉１２Ｂの外面や回転錠３０で結露することが防止される。
【００２３】
またこの実施形態では、金属製の回転錠３０により同じく金属製の回動軸４０を回動させる構造であって、回動軸４０は庫内に突出していて冷却状態にあるため、それらが直接連結されていると、回動軸４０の冷熱が回転錠３０に伝達されて冷却され、回転錠３０の頭部３２等に結露が生じるおそれがある。
その点この実施形態では、回転錠３０と回動軸４０とが、金属と比べて断熱性に優れた合成樹脂製の連結部材３７を介して連結されているから、回動軸４０の冷熱が回転錠３０に伝達されることが連結部材３７により抑えられ、それにより回転錠３０が冷却されることが防止されて結露の発生も未然に防ぐことができる。
【００２４】
＜第２実施形態＞
図６及び図７は本発明の第２実施形態を示す。この第２実施形態では、係止機構部分に変更が加えられている。以下には、第１実施形態と相違した部分を主に説明し、第１実施形態と同一機能を有する部位については同一符号を付すことで重複した説明は省略する。
回転錠３０の軸部３３と回動軸４０の連結軸４２とが、第１実施形態と同様に、断熱性に優れた連結部材３７を介して一体的な回動可能に連結されている。
【００２５】
回動軸４０の先端の取付孔４４には被係止棒７０が装着され、被係止棒７０は、先端側が縮径された段付き状に形成され、先端側に止め輪７１が嵌着可能とされている。被係止棒７０は取付孔４４内に下方から摺動可能に挿通され、その上方突出部に圧縮コイルバネ７２を嵌装して止め輪７１で係止することにより、被係止棒７０に上方への移動力が付勢され、段付部７３が平行二面４３の下面に当たることで停止した状態にある。
【００２６】
この第２実施形態では、被係止棒７０が縦に立った状態が閉位置であり、図７の鎖線に示すように、横に寝た状態が開位置である。
一方、出入口１１の上側の周面には、縦向きに立った被係止棒７０の先端が嵌入可能な係止凹部７５が形成されている。なお、被係止棒７０が横向きの姿勢を取りつつ係止凹部７５から脱出可能なように、係止凹部７５の底面は円弧状に形成されている（図７）。
【００２７】
第２実施形態の作用は以下のようである。閉扉する場合は、左扉１２Ａを閉じたのち右扉１２Ｂを閉じると、このときは、図７の鎖線に示すように、回動軸４０の先端の被係止棒７０が横向きの姿勢にあるから、そのまま係止凹部７５の直下に進入しつつ閉扉される。
さらに施錠する場合は、回転錠３０に差し込んだ鍵の操作によって、回動軸４０を閉位置に回動させると、被係止棒７０が図７の鎖線位置から実線位置に回動し、図８に示すように、被係止棒７０の先端が係止凹部７５内に嵌入した状態となって、右扉１２Ｂが閉鎖状態にロックされる。左扉１２Ａは、同じくピラー１４が右扉１２Ｂで押さえ付けられることで閉鎖状態にロックされる。
【００２８】
解錠する場合は、再度鍵を差し込んで回動軸４０を元の開位置に向けて反対方向に回動させると、被係止棒７０が図７の鎖線に示すように横向きに寝るために係止が解除され、右扉１２Ｂを手前に引くことで開扉でき、引き続いて左扉１２Ａも開扉できる。
また、庫内に閉じ込められてしまった場合には、図６の状態から、圧縮コイルバネ７２の弾力に抗して被係止棒７０を下方に引っ張り、先端を係止凹部７５から抜き出すと、施錠されているにも拘わらず被係止棒７０に対する係止が解除されるから、引き続いて右扉１２Ｂを庫外に向けて押すことで開扉することができる。
【００２９】
この第２実施形態においても、上記第１実施形態と同様に、扉１２Ｂを閉鎖状態に保持する機構を設けるに当たり、扉１２Ｂには回動軸４０等が貫通されているだけで済むから、断熱材Ｘを除去する範囲が小さく留められて、断熱効果が損なわれることなく扉１２Ｂの外面に結露することが防止される。
また回転錠３０と回動軸４０とが断熱性に優れた合成樹脂製の連結部材３７を介して連結されているから、回動軸４０の冷熱が回転錠３０に伝達されることが連結部材３７により抑えられ、それにより回転錠３０が冷却されることが防止されて結露の発生も防止される。
【００３０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）回転錠と回動軸とを連結する連結部材の材質には、合成樹脂以外にも、硬質ゴムやセラミックス等の金属に比べて断熱性に優れた他の材質を採用してもよい。
（２）本発明は、片開き等の他の扉開閉方式を備えた冷却貯蔵庫全般に広く適用することができる。
【図面の簡単な説明】
【図１】本発明の第１実施形態に係るプレハブ冷蔵庫の部分斜視図
【図２】扉側の保持機構部分の分解斜視図
【図３】閉扉した後施錠前の側断面図
【図４】施錠後の側断面図
【図５】係止解除動作を示す側断面図
【図６】本発明の第２実施形態に係る施錠後の側断面図
【図７】その正面からの断面図
【図８】従来例の斜視図
【符号の説明】
１０…冷蔵庫本体
１１…出入口
１２Ａ，１２Ｂ…扉
２０…貫通孔
２５…外箱
３０…回転錠
３３…軸部
３７…連結部材
３８…中心孔
４０…回動軸
４２…連結軸
５０…被係止棒
５５…閉鎖板
６０…係止部材
７０…被係止棒
７５…係止凹部
Ｘ…断熱材
【図１】
0003842521.tif 000002
【図２】
0003842521.tif 000003
【図３】
0003842521.tif 000004
【図４】
0003842521.tif 000005
【図５】
0003842521.tif 000006
【図６】
0003842521.tif 000007
【図７】
0003842521.tif 000008
【図８】
0003842521.tif 000009